(57)【要約】  【課題】  より地球温暖化係数が低減された、不燃性のプロペラントガスを提供する。  【解決手段】  噴射ボタンを備えるスプレー缶に充填されるプロペラントガスである。トリフルオロヨードメタンガス(ＣＦ３Ｉ)と１,１−ジフルオロエタンガス(Ｃ２Ｈ４Ｆ２)との混合ガスからなる。トリフルオロヨードメタンガス(ＣＦ３Ｉ)の重量比率が、６６〜７０％であることを特徴としている。【選択図】    なし【特許請求の範囲】
【請求項１】
噴射ボタンを備えるスプレー缶に充填されるプロペラントガスであって、
トリフルオロヨードメタンガス(ＣＦ３Ｉ)と１,１−ジフルオロエタンガス(Ｃ２Ｈ４Ｆ２)との混合ガスであることを特徴とするプロペラントガス。
【請求項２】
混合ガス中のトリフルオロヨードメタンガス(ＣＦ３Ｉ)の重量比率が、６６〜７０％であることを特徴とする請求項１に記載のプロペラントガス。
【請求項３】
プロペラントガスが除塵ブロワー用の噴射ガスである請求項１または２に記載したプロペラントガス。
【請求項４】
プロペラントガスがエアゾール用の噴射ガスである請求項１または２に記載したプロペラントガス。
【発明の詳細な説明】
【技術分野】
【０００１】
本発明は、エアゾールで内容物を噴出させる噴射用ガスや、除塵ガスとして噴出させる除塵ブロワー用噴射ガスに用いるプロペラントガスに関する。
【背景技術】
【０００２】
従来、エアゾールや除塵ブロワーに用いられるプロペラントガスとしては、フロンガス等の不燃性液化ガス(ＨＦＣ１３４ａ)が使用されていたが、近年では、オゾン層破壊・地球温暖化係数が小さいＨＦＣ１５２ａなどの代替フロンが使用されている。
【特許文献１】特開２００５−２０６７２３号公報
【発明の開示】
【発明が解決しようとする課題】
【０００３】
しかしながら、このＨＦＣ１５２ａであっても、フロンよもオゾン層破壊・地球温暖化係数は小さいものの、ゼロではないので、地球環境によりやさしいプロペラントガスが求められている。
【０００４】
また、ＨＦＣ１５２ａは可燃性液化ガスであるため、火気に対する安全性が低く、高温の除塵対象物に向けて噴射したり、密閉空間に多量に噴射すると爆発性が高くなるという問題も内包していた。
【０００５】
本発明は、このような点に着目してなされたもので、より地球温暖化係数が低減された、不燃性のプロペラントガスを提供することを目的とする。
【課題を解決するための手段】
【０００６】
上述の目的を達成するために本発明は、噴射ボタンを備えるスプレー缶に充填されるプロペラントガスであって、トリフルオロヨードメタンガス(ＣＦ３Ｉ)とＨＦＣ１５２ａで知られる１,１−ジフルオロエタンガス(Ｃ２Ｈ４Ｆ２)との混合ガスで構成したことを特徴としている。そして、請求項２に記載の発明は、この混合ガスでのトリフルオロヨードメタンガス(ＣＦ３Ｉ)の重量比率を、６６〜７０％にしたことを特徴としている。
【発明の効果】
【０００７】
トリフルオロヨードメタンガス(ＣＦ３Ｉ)は、沸点が−２２.７℃の無色の気体で、１個の炭素原子と３個のフッ素原子と１個のヨウ素原子とからなり、分子構造中に塩素を含まないことから、オゾン破壊能力が殆どないとされている。また、トリフルオロヨードメタンガス(ＣＦ３Ｉ)のＧＷＰ(地球温暖化係数)も殆どゼロとされており、ＨＦＣ１５２ａとの混合ガス中でのトリフルオロヨードメタンガス(ＣＦ３Ｉ)の混合量を増やすにつれて、混合ガスで構成されているプロペラントガスのＧＷＰ(地球温暖化係数)を低減させることが可能となる。
【０００８】
さらにトリフルオロヨードメタンガス(ＣＦ３Ｉ)は不燃物であることから、ＨＦＣ１５２ａとの混合ガスでの可燃性を低減し、混合量によって、不燃性のプロペラントガスを提供することができることになる。さらに、トリフルオロヨードメタンガスとＨＦＣ１５２ａとは、共沸様混合物となる。
【発明を実施するための最良の形態】
【０００９】
本発明に係るプロペラントガスは、トリフルオロヨードメタンガス(ＣＦ３Ｉ)を主成分と市、この主成分のトリフルオロヨードメタンガス(ＣＦ３Ｉ)にＨＦＣ１５２ａで知られる１,１−ジフルオロエタンガス(Ｃ２Ｈ４Ｆ２)を混合させた混合ガスで構成されている。  そして、このプロペラントガスは、噴射ボタンを備えるスプレー缶に充填して使用されるものであって、エアゾールにおいて噴射物を噴出させる噴出剤として、あるいは、除塵ブロワ−として直接対象物に噴射したりするものである。
【００１０】
表１は、ＨＦＣ１５２ａとＣＦ３Ｉとからなる２成分の各種混合物について、一定温度(３５℃)における飽和蒸気圧を示したものである。
【００１１】
【表１】
2010116506.tif 000002
【００１２】
上記表１からわかるように、ＨＦＣ１５２ａとＣＦ３Ｉの混合物は、ＣＦ３Ｉの単体、ＨＦＣ１５２ａの単体よりも蒸気圧が高く、ほぼ共沸混合物様となる。
【００１３】
ＨＦＣ１５２ａとＣＦ３Ｉとからなる２成分の各種混合物について、爆発燃焼試験を行った結果を表２に示す。
この爆発燃焼試験は、中央部に着火用電極を取り付けた覗き窓のついた約２Ｌの円筒形の金属容器の中に、ＨＦＣ１５２ａとＣＦ３Ｉを混合したガスを想定している混合比になるよう導入後、空気を大気圧まで導入して電極からの放電によって、燃焼の有無を確認した。燃焼の有無の判定は、覗き窓からの目視にて行った。
【００１４】
【表２】
2010116506.tif 000003
【００１５】
上記表２から、ＨＦＣ１５２ａとＣＦ３Ｉの混合物は、ＨＦＣ１５２ａの混合比率が３３.６以下で燃焼が起こっていないことがわかり、この混合物はＨＦＣ１５２ａの混合比率が３３.６以下では不燃物となる。
【００１６】
ＨＦＣ１５２ａとＣＦ３Ｉとからなる２成分の混合物と、プロペラントガスとして従来から使用されているＬＰＧ、ＨＦＣ１５２ａについて、旧高圧ガス取締法の爆発性試験に準じた試験を行い、爆発の有無を確認した。その結果を表３に示す。この場合、ＨＦＣ１５２ａとＣＦ３Ｉの混合ガスとして、ＣＦ３Ｉ：ＨＦＣ１５２ａが６６：３４のものを使用した。
評価方法は、約５０Ｌの金属製容器の中央部に着火電極、強制攪拌を行うためのファンを左部に取り付けられ、試料用ガスを左上部から一定量導入できる機構を取り付けたものの中に、試料を充填している噴射缶から一定量吹きつけ、電極からの放電によって爆発の有無を確認した。
【００１７】
【表３】
2010116506.tif 000004
【００１８】
上記表３から、ＨＦＣ１５２ａとＣＦ３Ｉの混合物においては、爆発が発生しておらず、ＨＦＣ１５２ａとＣＦ３Ｉの混合物は不燃性を示していることがわかる。
【００１９】
次に、ＨＦＣ１５２ａとＣＦ３Ｉとからなる２成分の混合物と、プロペラントガスとして従来から使用されているＬＰＧ、ＨＦＣ１５２ａについて、バーナーに対して、４.５cmから５.５cm以下に調整された火炎に対し、各種試料を充填している噴射缶から噴射ボタンを押して、ガス若しくは液化ガスを噴射し、火炎の有無を計測した。その結果を表４に示す。
【００２０】
【表４】
2010116506.tif 000005
【００２１】
上記表４からわかるように、ＨＦＣ１５２ａとＣＦ３Ｉとからなる２成分の混合物は火炎への噴射に対しても不燃性を示している。
【００２２】
上記の結果、本発明にかかるプロペラントガスは、従来使用されているＨＦＣ１３４ａやＨＦＣ１５２ａに比べてＧＷＰ(地球温暖化係数)を小さくすることができるうえ、ＣＦ３Ｉが不燃性物質であることから、不燃性を示し、火気に対する安全性を高めることができる。
【００２３】
そして、この場合、ＨＦＣ１５２ａとＣＦ３Ｉとの混合割合としては、噴射圧力を確保する上で、ＨＦＣ１５２ａの混合割合は、３０重量％以上であることがのぞましく、不燃性確保の観点から、ＣＦ３Ｉの混合割合が６６重量％以上あることが好ましい。このため、本発明にかかるＨＦＣ１５２ａとＣＦ３Ｉとからなる２成分の混合ガスの混合割合としては、トリフルオロヨードメタンガス(ＣＦ３Ｉ)の重量比率が、６６〜７０％の範囲にあることが最も効果的に有効である。
【産業上の利用可能性】
【００２４】
本発明にかかるプロペラントガスは、各種エアゾールでの噴射剤あるいは、除塵ブロワーでの噴出ガスとして使用することができる。